(57)【要約】【課題】本発明は、テコ作用を利用して曲げモ−メントに対する大きな反力を生起せしめ、磁石体の磁着力とも相まって常に重量の大な物品のみならず、枠状商品陳列トレイなど非常に大型の枠状トレイをも吊下げ状に確実に係止保持せしめることが出来る、磁着性係止具を提供するものである。【解決手段】所要の強磁性体壁面１２に磁着自在とされた略盤状の磁石体１と、該磁石体１の表面に回動自在に枢着された回動体６と、該回動体６に直接、又は支柱１６を介して垂下状に取付けられた係止体８とよりなり、上記係止体８は被係止物１３を上下に二点係止せしめるべく上下に係止片９・１０が対向状に形成されると共に、同係止体８の裏面には強磁性体壁面１２に当接して被係止物１３を水平状に支持せしめるべく所要長の当接支持部材１３が後方に向けて突設されている。【選択図】図１
2009153737.tif 000002
【特許請求の範囲】
【請求項１】
所要の強磁性体壁面に磁着自在とされた略盤状の磁石体と、該磁石体の表面に回動自在
に枢着された回動体と、該回動体に垂下状に取付けられた係止体とよりなり、上記係止体
は被係止物を上下に二点係止せしめるべく上下に係止片が対向状に形成されると共に、同
係止体の裏面には強磁性体壁面に当接して被係止物を水平状に支持せしめるべく所要長の
当接支持部材が後方に向けて突設されてなることを特徴とする、磁着性係止具。
【請求項２】
所要の強磁性体壁面に磁着自在とされた略盤状の磁石体と、該磁石体の表面に回動自在
に枢着された回動体と、該回動体に垂下状に取付けられた支柱と、該支柱の長手方向に沿
ってその表面に取付けられた所要数の係止体とよりなり、上記各係止体は被係止物を上下
に二点係止せしめるべく上下に係止片が対向状に形成されると共に、支柱の裏面には強磁
性体壁面に当接して被係止物を水平状に支持せしめるべく所要長の当接支持部材が後方に
向けて突設されてなることを特徴とする、磁着性係止具。
【請求項３】
支柱が伸縮自在な二重管状に形成されてなることを特徴とする、請求項２記載の磁着性
係止具。
【請求項４】
磁石体の裏面に滑り止めシ−トが取付けられてなることを特徴とする、請求項１〜３記
載の磁着性係止具。          
【発明の詳細な説明】
【技術分野】
【０００１】
本発明は、磁着性係止具に関し、さらに詳細には、スチ−ル製壁面やマグネットシ−ト
製壁面など所要の強磁性体壁面に磁着せしめ、台所用品や日用品、あるいは陳列用商品な
どを吊下げ状に直接係止せしめることが出来るのみならず、枠状商品陳列トレイなど大型
の枠状トレイを上下に二点係止せしめつつ吊下げ状に確実に係止せしめることが出来る、
磁着性係止具に関する。
【背景技術】
【０００２】
従来より、この種の磁着性係止具としては、例えば、合成樹脂製筐体の下部にフックが
垂設されると共に、同筐体の裏面に永久磁石が固着された所謂マグネットフックが広く知
られている。そして、かかるマグネットフックは、所要の強磁性体壁面に永久磁石を介し
て磁着せしめつつ、フックに所要の物品を吊下げ状に係止せしめるものとされている。
【０００３】
しかしながら、上述の如く構成された従来例は、単に永久磁石を強磁性体壁面に磁着せ
しめるにすぎないものであるから、物品の吊下げ荷重に起因する曲げモ−メントに対して
反力が非常に小さく、係止保持力が弱いものであって、ひいては、非常に軽量な物品の吊
下げにのみしか使用することが出来ないものである。    
【０００４】
かかる従来例の問題点を解決するものとして、実開昭５０−１３３３２７号公報や実開
昭５４−１７６４２４号公報には、所要の本体裏面に永久磁石とゴム板などの弾性板とが
順次固着されると共に、同本体の表面側に鉤部が突設されてなる係止具が開示されている
。
そして、上述の如く構成された係止具は、永久磁石により所要の強磁性体壁面に磁着せ
しめて使用に供するものであって、鉤部に所要の物品を吊下げ状に係止せしめたさいには
永久磁石の磁着面を支点とする曲げモ−メントが弾性板に加わり、強磁性体壁面に強く押
圧せしめつつ摩擦抵抗を生起せしめるものである。このため、かかる摩擦抵抗により垂直
方向への下降力に対する反力が生起し、永久磁石の磁着力とも相まって比較的重量の大な
物品の場合においても吊下げ状に係止保持せしめることが出来るものである。
【特許文献１】実開昭５０−１３３３２７号公報
【特許文献２】実開昭５４−１７６４２４号公報
【発明の開示】
【発明が解決しようとする課題】
【０００５】
ところで、上述の如く構成された従来例は、物品の吊下げ荷重に起因する曲げモ−メン
トを弾性板に加えて摩擦抵抗を生起せしめ、これを下降力に対する反力として利用するに
すぎないものであるから、必ずしも満足すべき反力を生起せしめることが出来ないもので
ある。このため、陳列商品など非常に重量の大な物品の係止には適用せしめることが出来
ないのみならず、特に枠状商品陳列トレイなど非常に大型の枠状トレイの係止には到底適
用せしめることが出来ないものである。
【０００６】
本発明は上記従来例の課題を解決し、テコ作用を利用して曲げモ−メントに対する大き
な反力を生起せしめ、磁石体の磁着力とも相まって常に重量の大な物品のみならず、枠状
商品陳列トレイなど非常に大型の枠状トレイをも吊下げ状に確実に係止保持せしめること
が出来る、磁着性係止具を提供しようとするものである。
【課題を解決するための手段】
【０００７】
上記の目的を達成するため、本発明の請求項１記載の発明は、所要の強磁性体壁面に磁
着自在とされた略盤状の磁石体と、該磁石体の表面に回動自在に枢着された回動体と、該
回動体に垂下状に取付けられた係止体とよりなり、上記係止体は被係止物を上下に二点係
止せしめるべく上下に係止片が対向状に形成されると共に、同係止体の裏面には強磁性体
壁面に当接して被係止物を水平状に支持せしめるべく所要長の当接支持部材が後方に向け
て突設されてなることを特徴とする、磁着性係止具を要旨とするものである。
【０００８】
本発明の請求項２記載の発明は、所要の強磁性体壁面に磁着自在とされた略盤状の磁石
体と、該磁石体の表面に回動自在に枢着された回動体と、該回動体に垂下状に取付けられ
た支柱と、該支柱の長手方向に沿ってその表面に取付けられた所要数の係止体とよりなり
、上記各係止体は被係止物を上下に二点係止せしめるべく上下に係止片が対向状に形成さ
れると共に、支柱の裏面には強磁性体壁面に当接して被係止物を水平状に支持せしめるべ
く所要長の当接支持部材が後方に向けて突設されてなることを特徴とする、磁着性係止具
を要旨とするものである。
【０００９】
本発明の請求項３記載の発明は、支柱が伸縮自在な二重管状に形成されてなることを特
徴とする、請求項２記載の磁着性係止具を要旨とするものである。
【００１０】
本発明の請求項４記載の発明は、磁石体の裏面に滑り止めシ−トが取付けられてなることを特徴とする、請求項１〜３記載の磁着性係止具を要旨とするものである。
【発明の効果】
【００１１】
請求項１記載の発明は上述のように構成されているから、磁石体を介して所要の強磁性
体壁面に磁着せしめて使用に供することが出来るものであって、係止体に所要の被係止物
を吊下げ状に係止せしめたさいには、回動体の枢着部を支点とする曲げモ−メントが回動
体・係止体を一体的に回動せしめつつテコ作用的に当接支持部材に集中的に加わり、大き
な反力を生起せしめることが出来るものであり、ひいては、従来例に比して、磁石体の磁
着力とも相まって非常に重量の大な被係止物を常に確実に係止保持せしめることが出来る
ものである。そして、特に本発明の係止体は、被係止物を上下に二点係止せしめるべく上
下に係止片が対向状に形成されているから、枠状商品陳列トレイなど非常に大型の枠状ト
レイの場合においても吊下げ状に確実に係止保持せしめることが出来るものである。
【００１２】
請求項２記載の発明は上述のように構成されているから、磁石体を介して所要の強磁性
体壁面に磁着せしめて使用に供することが出来るものであって、係止体に所要の被係止物
を吊下げ状に係止せしめたさいには、回動体の枢着部を支点とする曲げモ−メントが回動
体・支柱・係止体を一体的に回動せしめつつテコ作用的に当接支持部材に集中的に加わり
、大きな反力を生起せしめることが出来るものであり、ひいては、従来例に比して、磁石
体の磁着力とも相まって非常に重量の大な被係止物を常に確実に係止保持せしめることが
出来るものである。そして、特に本発明の係止体は、被係止物を上下に二点係止せしめる
べく上下に係止片が対向状に形成されているから、枠状商品陳列トレイなど非常に大型の
枠状トレイの場合においても吊下げ状に確実に係止保持せしめることが出来るものである
。
【００１３】
請求項３記載の発明は上述のように構成されているから、被係止物の個数や大きさなど
に応じて支柱の長さを適宜伸縮作動せしめ、常に適正な長さに保持せしめることが出来る
ものである。
【００１４】
請求項４記載の発明は上述のように構成されているから、被係止物の吊下げ荷重に起因
する曲げモ−メントに対して磁石体の滑りを有効に防止せしめることが出来るものであっ
て、ひいては、係止具の係止保持力をよりアップせしめることが出来るものである。
【発明を実施するための最良の形態】
【００１５】
以下に、本発明を実施するための最良の形態を図面に示す一実施例に基づいて詳細に説
明する。              
【００１６】
図１及び図２は本発明の一実施例を示すもので、同図中、１は後記する強磁性体壁面１
２に磁着自在とされた略方形盤状の磁石体、２は該磁石体１を構成する略方形体状の合成
樹脂製筐体、３は該筐体２に内設された永久磁石、４は該永久磁石３を閉塞せしめるべく
筐体２の裏面側に取付けられた滑り止めシ−ト、５は該滑り止めシ−ト４に対応すべく筐
体２の表面に突設された両側一対の軸受、６は該軸受５に枢軸７を介して回動自在に枢着
された回動体、８は該回動体６に垂下状に取付けられた略Ｃ字形状の係止体で、該係止体
８は後記する枠状商品陳列トレイ１３を上下に二点係止せしめるべく上下に上部係止片９
と下部係止片１０とが対向状に形成されている。１１は後記する枠状商品陳列トレイ１３
の吊下げ荷重に起因する曲げモ−メントを後記する強磁性体壁面１２に当接支持せしめる
べく上記係止体８の裏面下端に後方へ向けて突設された略Ｔ字形状の当接支持部材で、該
当接支持部材１１は強磁性体壁面１２に当接して後記する枠状商品陳列トレイ１３をほぼ
水平状に保持せしめるべく所要の長さに設定されている。その他、１２はスチ−ル製壁面
やマグネットシ−ト製壁面など所要の強磁性体壁面、１３は細長な方形体状の枠状商品陳
列トレイ、１４・１５は該枠状商品陳列トレイ１３を構成する縦桟と横桟である。
【００１７】
そして、上述の如く構成された実施例に枠状商品陳列トレイ１３を吊下げ状に係止せし
めるさいには、図２に図示するように、所要の強磁性体壁面１２に少なくとも２個の磁石
体１を同高レベルに磁着せしめると共に、各回動体６を回動作動せしめつつ係止体８を下
方に回動せしめ、各当接支持部材１１の自由端を強磁性体壁面１２に当接せしめることに
より係止体８をほぼ垂直状に支持せしめる。しかるのち、枠状商品陳列トレイ１３を構成
する上部の横桟１５を各上部係止片９に嵌合係止せしめると共に、同下部の横桟１５を各
下部係止片１０に嵌合係止せしめ、左右の係止体８に枠状商品陳列トレイ１３を各々上下
二点係止せしめつつ吊下げ状に水平係止せしめたのち、所要の商品を収容せしめて陳列に
供する。すると、枠状商品陳列トレイ１３に収容せしめた商品の荷重が回動部６の枢着部
を支点とする曲げモ−メントとして回動体６と係止体８に作用し、回動体６及び係止体８
を一体的に下向きに若干回動せしめつつテコ作用的に当接支持部材１１の自由端を強磁性
体壁面１２に圧接して反力を生起せしめる。このさい、枠状商品陳列トレイ１３に収容せ
しめた商品の吊下げ荷重に応じて相応の曲げモ−メントがテコ作用的に当接支持部材１１
の自由端に作用するため、収容商品の吊下げ荷重が大である場合には相応の曲げモ−メン
トが当接支持部材１１の自由端に作用して大きな反力を生起せしめることが出来るもので
あって、磁石体１の磁着力とも相まって吊下げ荷重の大な枠状商品陳列トレイ１３を収容
商品と共に常に確実に係止保持せしめることが出来る。また、磁石体１の裏面には滑り止
めシ−ト４が取付けられているから、枠状商品陳列トレイ１３の吊下げ荷重に起因する曲
げモ−メントに対して磁石体１の滑りを有効に防止せしめ、係止保持力を一層アップせし
めることが出来るものである。
【００１８】
図３及び図４は本発明の他の実施例を示すもので、回動体６に所要長の角形パイプ製支
柱１６が垂下状に取付けられ、該支柱１６は外管１７に下端を後向き状に折曲せしめた内
管１８が調整ネジ１９を介して伸縮自在に嵌合された構成よりなり、該外管１７の表面に
は上下一対の係止体８が、同外管１７の裏面下端には当接支持部材１１が各々突設された
点が上記実施例と相違し、他の部分は同一であり、同一符号は同一部分を示す。
【００１９】
そして、上述の如く構成された実施例は、図４に図示するように、所要の強磁性体壁面
１２に少なくとも２個の磁石体１を同高レベルに磁石せしめると共に、各回動体６を回動
作動せしめつつ各支柱１６を下方に回動せしめ、上下の係止体８を各々ほぼ垂直状に保持
せしめつつ、各当接支持部材１１の自由端を強磁性体壁面１２に当接せしめる。しかるの
ち、上記実施例と同様に、枠状商品陳列トレイ１３を構成する上部の横桟１５を上部係止
片９に嵌合係止せしめると共に、同下部の横桟１５を下部係合片１０に嵌合係止せしめる
ことにより各々上下二点係止せしめつつ、上下の係合体８に各々枠状商品陳列トレイ１３
を吊下げ状に水平係止せしめたのち、所要の商品を収容して陳列せしめるものである。こ
のさい、枠状商品陳列トレイ１３に収容せしめた商品の吊下げ荷重に起因する曲げモ−メ
ントをテコ作用的に両側の当接支持部材１１に作用せしめて大きな反力を生起せしめつつ
、吊下げ荷重の大な枠状商品陳列トレイ１３を収容商品と共に常に確実に係止保持せしめ
ることが出来るものである。  
【００２０】
なお、上記実施例は強磁性体壁面１２に少なくとも２個の磁石体１を同高レベルに磁着
せしめ、係止体８に枠状商品陳列トレイ１３を吊下げ状に係止支持せしめるものとされて
いるが、これに限定されるものでなく、例えば、強磁性体壁面１２に磁石体１を適宜磁着
せしめ、下部係止片１０に日用品や台所用品、あるいは陳列商品などを吊下げ状に係止支
持せしめてもよいものである。また、上記実施例の支柱１６には上下に一対の係止体８が
取付けられているが、これに限定さえれるものではなく、必要に応じてその個数を増減せ
しめてもよいものである。
【図面の簡単な説明】
【００２１】
【図１】本発明の一実施例を示す斜視図である。
【図２】図１に示す実施例の使用状態を示す斜視図である。
【図３】本発明の他の実施例を示す斜視図である。
【図４】図３に示す実施例の使用状態を示す斜視図である。
【符号の説明】
【００２２】
１    磁石体
３    永久磁石
４    滑り止めシ−ト
５    軸受
６    回動体      
７    枢軸
８    係止体        
９    上部係止片
１０  下部係止片
１１  当接支持部材
１２  強磁性体壁面
１３  枠状商品陳列トレイ
１６  支柱
１７  外管
１８  内管
【図１】
2009153737.tif 000003
【図２】
2009153737.tif 000004
【図３】
2009153737.tif 000005
【図４】
2009153737.tif 000006